(57)【特許請求の範囲】
【請求項１】
ハウジング、前記ハウジングは上端部および下端部を有する、
前記ハウジングの下端部から上端部へ長手方向に延在する複数の第一壁、各第一壁は分離物質区画室を形成し、かつ各前記物質区画室は第一開放端部および第二開放端部を有する、
各前記物質区画室内に軸方向に設置された回転自在スクリュ部材、各前記スクリュ部材は基端および先端を有する、
各前記スクリュ部材の基端に取り付けられたギア、前記ギアは各前記物質区画室の第二開放端部に回転自在に設置されている、
各前記物質区画室内で軸方向に摺動自在に設置されたピストン、前記ピストンは前記スクリュ部材と共働して連結された前記スクリュ部材の相対的回転によって前記ピストンを前記物質区画室内で軸方向へ移動させる中央ネジ孔を有する、
前記ハウジングの下端部に回転自在に取り付けられたマスターギア、前記マスターギアは各前記スクリュ部材のギアと接触する、
前記マスターギアの回転を補助するベース、前記ベースは前記マスターギアに取り付けられ、全体が前記ハウジングの下方に位置する、を含む機械的ツイストディスペンサ。
【請求項２】
前記マスターギアは各前記スクリュ部材のギアに接触してその間に位置決めされている、請求項１のディスペンサ。
【請求項３】
前記マスターギアは長手方向の孔を有し、かつ前記ハウジングの下端部はボスを有し、前記長手方向の孔は前記ボスを中心に回転自在に形成されている、請求項２のディスペンサ。
【請求項４】
前記マスターギアは各前記スクリュ部材のギアのまわりを包みかつ各前記スクリュ部材のギアと接触している、請求項１のディスペンサ。
【請求項５】
前記マスターギアは各前記スクリュ部材のギアのまわりを包みかつ各前記スクリュ部材のギアと接触している可撓性ベルトである、請求項４のディスペンサ。
【請求項６】
本ディスペンサは使用量表示部を有し、前記使用量表示部は前記ハウジングの下部上の１またはそれ以上の連続的刻み目および前記刻み目内に適合する前記マスターギア上の１またはそれ以上の戻り止めから成り、前記１またはそれ以上の戻り止めは前記マスターギアの回転により前記刻み目から次の連続的刻み目へ回転する、請求項１のディスペンサ。
【請求項７】
端キャップが前記ハウジングの上端部に設けられていて、前記端キャップは外シエルと複数の長手方向に延在する第二壁から成り、前記第二壁は前記端キャップの第一開放端部から第二開放端部まで延在し、前記第二開放端部は前記外シエルと交差し、前記第二壁は前記第二壁の各第一開放端部が各前記物質区画室の各第一開放端部と揃うように前記端キャップ内に位置決めされ、それにより取り出し通路を形成する、請求項１のディスペンサ。
【請求項８】
前記端キャップは前記ハウジングの上端部上に設置された分離片である、請求項７のディスペンサ。
【請求項９】
前記第二壁の第一開放端部は前記ハウジングの第一壁の第一開放端部よりも僅かに大きい直径を有しかつその上に適合している、請求項８のディスペンサ。
【請求項１０】
前記端キャップは混合面を有する、請求項８のディスペンサ。
【請求項１１】
前記混合面は各前記第二壁の第二開放端部および前記外シエルと交差する平坦面または凹面である、請求項１０のディスペンサ。
【請求項１２】
前記端キャップは前記ハウジングと一体成形されて単一体を形成している、請求項７のディスペンサ。
【請求項１３】
前記端キャップは混合面を有する、請求項１２のディスペンサ。
【請求項１４】
前記混合面は各前記第二壁の第二開放端部および前記外シエルと交差する平坦面または凹面である、請求項１３のディスペンサ。
【請求項１５】
前記端キャップの第二開放端部は自己閉鎖部材を有する、請求項７のディスペンサ。
【請求項１６】
前記自己閉鎖部材は前記端キャップと同時成形された二軸射出成形可撓性膜、または前記端キャップの第二開放端部内に固定保持された分離部である一方弁である、請求項１５のディスペンサ。
【請求項１７】
ハウジング、前記ハウジングは上端部および下端部を有する、
前記ハウジングの下端部から上端部へ長手方向に延在する複数の第一壁、各第一壁は分離物質区画室を形成し、かつ各前記物質区画室は第一開放端部および第二開放端部を有する、
各前記物質区画室内に軸方向に設置された回転自在スクリュ部材、各前記スクリュ部材は基端および先端を有する、
各前記スクリュ部材の基端に取り付けられたギア、前記ギアは各前記物質区画室の第二開放端部に回転自在に設置されている、
各前記物質区画室内で軸方向に摺動自在に設置されたピストン、前記ピストンは前記スクリュ部材と共働して連結された前記スクリュ部材の相対的回転によって前記ピストンを前記物質区画室内で軸方向へ移動させる中央ネジ孔を有する、
前記ハウジングの下端部に回転自在に取り付けられたマスターギア、前記マスターギアは各前記スクリュ部材のギアと接触する、
前記マスターギアの回転を補助するベース、前記ベースは前記マスターギアに取り付けられ、全体が前記ハウジングの下方に位置する、および
前記ハウジングの上端部上に設けられた端キャップ、前記端キャップは外シエルと複数の長手方向に延在する第二壁から成り、前記第二壁は前記端キャップの第一開放端部から第二開放端部まで延在し、前記第二開放端部は前記外シエルと交差し、前記第二壁は前記第二壁の各第一開放端部が各前記物質区画室の各第一開放端部と揃うように前記端キャップ内に位置決めされ、それにより取り出し通路を形成する、を含む機械的ツイストディスペンサ。
【請求項１８】
前記マスターギアは各前記スクリュ部材のギアに接触してその間に位置決めされている、請求項１７のディスペンサ。
【請求項１９】
前記マスターギアは長手方向の孔を有し、かつ前記ハウジングの下端部はボスを有し、前記長手方向の孔は前記ボスを中心に回転自在に形成されている、請求項１８のディスペンサ。
【請求項２０】
前記マスターギアは各前記スクリュ部材のギアのまわりを包みかつ各前記スクリュ部材のギアと接触している、請求項１７のディスペンサ。
【請求項２１】
前記マスターギアは各前記スクリュ部材のギアのまわりを包みかつ各前記スクリュ部材のギアと接触している可撓性ベルトである、請求項２０のディスペンサ。
【請求項２２】
本ディスペンサは使用量表示部を有し、前記使用量表示部は前記ハウジングの下部上の１またはそれ以上の連続的刻み目および前記刻み目内に適合する前記マスターギア上の１またはそれ以上の戻り止めから成り、前記１またはそれ以上の戻り止めは前記マスターギアの回転により前記刻み目から次の連続的刻み目へ回転する、請求項１７のディスペンサ。
【請求項２３】
前記第二壁の第一開放端部は前記ハウジングの第一壁の第一開放端部よりも僅かに大きい直径を有しかつ前記第一開放端部上に適合している、請求項１７のディスペンサ。
【請求項２４】
前記端キャップは混合面を有する、請求項１７のディスペンサ。
【請求項２５】
前記混合面は各前記第二壁の第二開放端部および前記外シエルと交差する平坦面または凹面である、請求項２４のディスペンサ。
【請求項２６】
前記端キャップの第二開放端部は自己閉鎖部材を有する、請求項１７のディスペンサ。
【請求項２７】
前記自己閉鎖部材は前記端キャップと同時成形された二軸射出成形可撓性膜、または前記端キャップの第二開放端部内に固定保持された分離部である一方弁である、請求項２６のディスペンサ。
【請求項２８】
ハウジング、前記ハウジングは上端部および下端部を有し、前記上端部は一体成形された端キャップを有し、前記端キャップは外シエルを有する、
前記ハウジングの下端部から上端部へ長手方向に延在する複数の第一壁、各第一壁は分離物質区画室を形成し、かつ各前記物質区画室は第一開放端部および第二開放端部を有する、
各前記物質区画室内に軸方向に設置された回転自在スクリュ部材、各前記スクリュ部材は基端および先端を有する、
各前記スクリュ部材の基端に取り付けられたギア、前記ギアは各前記物質区画室の第二開放端部に回転自在に設置されている、
各前記物質区画室内で軸方向に摺動自在に設置されたピストン、前記ピストンは前記スクリュ部材と共働して連結された前記スクリュ部材の相対的回転によって前記ピストンを前記物質区画室内で軸方向へ移動させる中央ネジ孔を有する、
前記ハウジングの下端部に回転自在に取り付けられたマスターギア、前記マスターギアは各前記スクリュ部材のギアと接触する、
前記マスターギアの回転を補助するベース、前記ベースは前記マスターギアに取り付けられ、全体が前記ハウジングの下方に位置する、を含む機械的ツイストディスペンサ。
【請求項２９】
前記マスターギアは各前記スクリュ部材のギアに接触してその間に位置決めされている、請求項２８のディスペンサ。
【請求項３０】
前記マスターギアは長手方向の孔を有し、かつ前記ハウジングの下端部はボスを有し、前記長手方向の孔は前記ボスを中心に回転自在に形成されている、請求項２９のディスペンサ。
【請求項３１】
前記マスターギアは各前記スクリュ部材のギアのまわりを包みかつ各前記スクリュ部材のギアと接触している、請求項２８のディスペンサ。
【請求項３２】
前記マスターギアは各前記スクリュ部材のギアのまわりを包みかつ各前記スクリュ部材のギアと接触している可撓性ベルトである、請求項３１のディスペンサ。
【請求項３３】
本ディスペンサは使用量表示部を有し、前記使用量表示部は前記ハウジングの下端部上の１またはそれ以上の連続的刻み目および前記刻み目内に適合する前記マスターギア上の１またはそれ以上の戻り止めから成り、前記１またはそれ以上の戻り止めは前記マスターギアの回転により前記刻み目から次の連続的刻み目へ回転する、請求項２８のディスペンサ。
【請求項３４】
前記端キャップは混合面を有する、請求項２８のディスペンサ。
【請求項３５】
前記混合面は各前記第二壁の第二開放端部および前記外シエルと交差する平坦面または凹面である、請求項３４のディスペンサ。
【請求項３６】
前記端キャップの第二開放端部は自己閉鎖部材を有する、請求項２８のディスペンサ。
【請求項３７】
前記自己閉鎖部材は前記端キャップと同時成形された二軸射出成形可撓性膜、または前記端キャップの第二開放端部内に固定保持された分離部である一方弁である、請求項３６のディスペンサ。
【請求項３８】
非円筒形のハウジング、前記ハウジングは上端部および下端部を有する、
前記ハウジングの下端部から上端部へ長手方向に延在する複数の第一壁、各第一壁は分離物質区画室を形成し、かつ各前記物質区画室は第一開放端部および第二開放端部を有する、
各前記物質区画室内に軸方向に設置された回転自在スクリュ部材、各前記スクリュ部材は基端および先端を有する、
各前記スクリュ部材の基端に取り付けられたギア、前記ギアは各前記物質区画室の第二開放端部に回転自在に設置されている、
各前記物質区画室内で軸方向に摺動自在に設置されたピストン、前記ピストンは前記スクリュ部材と共働して連結された前記スクリュ部材の相対的回転によって前記ピストンを前記物質区画室内で軸方向へ移動させる中央ネジ孔を有する、
前記ハウジングの下端部に回転自在に取り付けられたマスターギア、前記マスターギアは各前記スクリュ部材のギアと接触する、を含む機械的ツイストディスペンサ。
【発明の詳細な説明】
【０００１】
発明の分野
本発明は機械的ツイストディスペンサに関する。更に詳細には、本発明は２またはそれ以上の物質を分離収容しかつそれらの分離された物質を同時に取り出すことのできる機械的ツイストディスペンサに関する。
発明の背景
【０００２】
ある種の化粧品、医薬品、家庭用品、工業生産物、および食品は使用直前まで分離保持する必要のある複数相から配合される。使用直前まで複数相を分離保持する包装能力および消費者に装置の使用容易性を提供する包装能力は従来大きな障害になっている。
【０００３】
かかる複数相物質を包装するための従来の試みは、別々に開放する必要のある分離容器内に各相の物質を包装し、かつ消費者による使用前に第三容器内で混合するものを含む。このスタイルの包装の使用に伴う問題は、各相用の容器、および混合容器が消費者に販売するために単一運送コンテナ内に梱包されなければならないことである。販売用として物質を包装するために必要とされる多数の構成要素は製品コストと共に目的地へ製品を運送するコストを増加させる。
【０００４】
各相の物質のために分離ポンプを使用する他の方法が提案されている。この方法では、分離ポンプの各々が共通アクチュエータにより束ねられる。ポンプ構造の煩雑さおよびこのタイプの複雑な取り出し方法の使用に伴う高いコストとは別に、このシステムには大きな欠点が存在する。第一に、多相製品に共通するように、各相の物質は、通常、他の相と同一の物理的特性を有しない。これらの相が複数のポンプシステム内に設置される場合、各相に関連した異なる物理的性質が個別ポンプのプライミングを不正確にし、ポンプから吐出される使用量、その結果としての各相の物質の消耗量を不均一にし、それにより典型的にはそれぞれの容器内にある相を残した状態で他の相を消耗することになる。これらの問題は、その製品の最良特性を得るために、多相製品が各相を精確に測定した量で混合することを必要とする場合に特に顕著である。
【０００５】
フランス特許第２７２，１９０号は同時に２つ物質を取り出すための測量機構を記載する。この構造は２つの異なる容器を有する箱、および前記２つの容器を横切って延びる２つのピストンから成る。２つのピストンは制御機構を具備する。制御機構は容器の上に取り付けた螺子切したスクリューシャフト、およびこのシャフト上のナットで構成される。ナットは２つのピストンに取り付けられていて、シャフトの回転がナットを前進させかつそれぞれの容器内のピストンを移動させる。このディスペンサの欠点は、容器内に収容された実質的全物質を取り出すために、容器の全高さを個別容器の高さの少なくとも２倍にする必要があることである。これは、２つの物質を分離収容するために、各容器が連続的壁を有する必要があることによる。この連続壁により、２つのピストンはシャフトへ各容器内のピストンを連結する逆Ｕ字形部材でなければならない。この逆Ｕ字形部材は各容器と少なくとも同一長さでなければならない。逆Ｕ字形部材が各容器と少なくとも同一長でない場合、容器内のいずれかの全内容物は取り出すことができないか、または各容器壁はピストンが容器の底部へ達するようにピストンの移動することのできる孔を有する必要がある。いずれの形態も実用的でない。一方は包装を相当に長く設計する必要があり、他方は各容器内の物質をすべて取り出すことができないものであるからである。
【０００６】
フランス特許第２，６５１，４８５号は、類似粘度の２つの異なる物質用の容器またはディスペンサを開示している。この容器は２つの物質のための２つの分離室を有するハウジング、および容器の外部からアクセスすることによってアクチュエータにより作動する上部に形成された２つの分離出口から２つの物質を排出するための機構から成る。この物質排出機構は２つの分離室内でピストンの形態をとり、格納式スクリュ機構および刻み付歯車により作動する。刻み付歯車はピストンスクリュの両端部上の段と係合して２つの分離室内のピストンを駆動する。フランス特許第２，７２１，９０７号と同様に、このディスペンサは、格納式スクリュ部材をディスペンサ内に完全に収納するために、高さを増す必要がある。
【０００７】
更に、上述したような多相ディスペンサシステムの殆どが取り出し後の各相の物質の混合を消費者に要求する。代表的には、局所的に塗布される医薬物質または化粧物質の場合、消費者はその製品の各相を身体の意図領域へ取り出す必要がある。次に、消費者はその製品に意図する機能を達成させるため製品の各相を混合しなければならない。皮膚上で直接的に複数相の物質を消費者に混合させることに伴う問題は、各相を混合する前に、消費者は混合されない形態相が生じることに対して悪い反応を示すことである。
発明の概要
【０００８】
本発明は上端部、下端部、および前記下端部から前記上端部へ長手方向に延在する複数の第一壁を有するハウジングから成り、各前記第一壁はその製品の各成分のための分離物質区画室を形成している。各前記物質区画室は第一開放端部および第二開放端部を有する。
【０００９】
回転自在スクリュ部材が各前記物質区画室内で軸方向に設置されている。各前記スクリュ部材は基端および先端を有する。各前記スクリュ部材の基端にギアが取り付けられている。前記ギアは各前記物質区画室の第二開放端部に回転自在に設置されている。
各前記物質区画室内で軸方向に摺動自在にピストンが設置されている。前記ピストンは、前記スクリュ部材と共働して連結された前記スクリュ部材の相対的回転によって前記ピストンを前記物質区画室内で軸方向へ移動させる中央ネジ孔を有する。
【００１０】
前記ハウジングの下端部にマスターギアが回転自在に取り付けられている。前記マスターギアは各前記スクリュ部材のギアと接触して、前記マスターギアの回転により各スクリュ部材のギアを回転させ、順次、前記ピストンのネジ孔と前記スクリュ部材間の相互運動により前記ピストンを前記物質区画室内で軸方向へ摺動させる。
【００１１】
前記ピストンの合成運動によって前記物質区画室内の物質を前記ハウジングの上端部上に設置した端キャップからの取り出しを可能にする。前記端キャップは複数の長手方向に延在する第二壁を有する。前記第二壁は前記端キャップの第一開放端部から第二開放端部まで延在し、かつ前記物質区画室の第一開放端部と揃って、前記端キャップが前記ハウジングの上端部上に設置されるときに取り出し通路を形成する。
【００１２】
好適形態において、前記端キャップは混合面を有する。前記混合面は各前記第二壁の第二開放端部と交差する平坦面または凹面を前記端キャップに形成することにより得られる。前記混合面は消費者による塗布前に各前記物質区画室内の複数物質を混合するための包装上の領域を消費者に提供する。
本発明の他の課題、特徴および図面は図面を用いて説明する実施形態例からより良く理解されるであろう。
発明の詳細な説明
【００１３】
図面を参照すると、図１は概ね１で示した本発明による機械的ツイストディスペンサの１形態を示す。前記ツイストディスペンサは上端部３および下端部４を有するハウジング２から成る。図２に更に明瞭に示されたように、ハウジング２は下端部４から上端部３へ長手方向に延在する複数の壁５を有する。図１および２は２つの壁を示すが、本開示から明らかなように、ハウジング２内にはいくつの壁が設けられてもよい。各壁５は分離した物質区画室６を形成し、各区画室は第一開放端部７および第二開放端部８を有する。
【００１４】
回転自在スクリュ部材９が各物質区画室６内に軸方向に設置されている。図５に更に詳細に図示されたように、各スクリュ部材９は先端１０および基端１１を有しかつその軸に沿ってねじ切りされている。ギア１２は各スクリュ部材９の基端１１に取り付けられている。各ギア１２は各物質区画室６の第二開放端部８に回転自在に設置されている。好適には、スクリュ部材９は各物質区画室６の第二開放端部８に、スクリュ部材９の基端１１で凹部４１にフイットする内方へ突出するリム４０を開放端部８に設けることによって回転自在に保持されている。
【００１５】
ピストン１３は各物質区画室６内に摺動自在に設置されている。各ピストン１３はスクリュ部材９と共働して、ギア１２の相対的回転によって物質区画室６内でピストン１３を軸方向へ移動させる中央ネジ孔１４を有する。ピストン１３の周辺４２は、物質区画室６の壁５と接触してピストン１３を物質区画室６内で軸方向へ移動させるように設計されている。当業者に明らかなように、ピストン１３の周辺と物質区画室６の壁間に必要とされる接触程度は各物質区画室６内に収容される物質の性質に依存する。例えば、物質が相対的に粘性でない場合、接触度合いはその物質が困難性を伴って通過するバリアを形成するために相対的により大きくなければならない。
【００１６】
マスターギア１５はハウジング２の下端部４に回転自在に取り付けられる。図４および１１−１４に更に詳細に示されたように、マスターギア１５は各スクリュ部材のギア１２と接触する。マスターギア１５の回転は各スクリュ部材ギア１２を回転させ、順次、ピストン１３のネジ孔１４とスクリュ部材９との間の相互運動によってピストン１３を物質区画室６内で軸方向へ摺動させる。
【００１７】
好適形態において、図４に示されたように、マスターギア１５は各スクリュ部材ギア１２間に位置決めされかつ各スクリュ部材のギア１２と接触する。この形態において、マスターギア１５は好適には長手孔２１を有し、そこを介してハウジング２の下端部４から突出するボス２０のまわりにフイットする。変形態において、マスターギア１５はマスターギア１５の上面から突出するボスを有し、他方ハウジング２の下端部がそのボスにフイットする孔を有していて、マスターギア１５の回転を可能にする構成であってよい。消費者によるマスターギア１５の回転を容易にするために、ベース２２がそこへ取り付けられるのが好適である。ベース２２は消費者に把持を容易にする領域を提供し、それによりマスターギア１５の回転を容易にする。
【００１８】
他の形態において、図１１に示されたように、マスターギア１５は各スクリュ部材のギア１２の周囲を包囲してそれに接触するように形成されてよい。この形態において、マスターギア１５は、図１２に示されたように、ハウジング２の下端部内の凹部６１と係合するポスト６０によりハウジング２の下端部に回転自在に取り付けられる。この形態において、マスターギア１５およびベース２２は一体的ユニットとして形成されるのが好ましく、それによりベース２２とマスターギア１５間に位置決めされた分割壁６２からのポスト６０の突出を可能にする。
【００１９】
更に他の形態において、図１３および１４に示されたように、マスターギア１５は各スクリュ部材ギア１２のまわりを包囲してそれに接触する可撓性ベルトであってよい。この形態において、好適には、スクリュ部材ギア１２に対して適正位置で可撓性ベルトを単に保持するために、ベース２２は回転しない状態でハウジング２の下端部へ固定される。これは、例えば、ハウジング２の下端部内の対応する形状の凹部６６と係合する上方へ突出した部材６５をベース２２に設けることにより達成できる。この形態において、突出部材６５および凹部６６の形状は、ベース２２がハウジング２に対して回転しないようなものであることが好ましい。好適形態として、例えば、正方形、長方形等が含まれる。
【００２０】
全体が１６で示された端キャップがハウジング２の上端部３に設けられる。好適形態において、端キャップ１６はハウジング２の上端部３の上方にフイットする分離片である。図７−１０に更に詳細に示されたように、端キャップ１６は外シエル７０および複数の長手方向に延在する第二壁17を有する。第二壁１７は端キャップ１６内で第一開放端部１８から第二開放端部１９まで延在し、第二開放端部１９は端キャップ１６の外シエル７０と交差する。第二壁１７は端キャップ１６内に位置決めされて、端キャップ１６が図１に示されたように、ハウジング２の上端部３上に設置されるときに、第二壁１７の各第一端部１８が各物質区画室6の第一開放端部７の各々と揃い、それによりその物質が各物質区画室6を退出する取り出し即ち、小出し通路４５を形成する。好適形態において、図１および６に示されたように、第二壁１７の第一開放端部１８は僅かに大きい直径を有し、壁５の第一開放端部７上にフイットして取り出し通路４５を形成する。当業者に明らかなように、端キャップ１６内の第二壁の数量はハウジング２内の物質区画室6の数量に等しい。
【００２１】
好適には、端キャップ１６の下部３１はハウジング２の上端部３で溝３３内にフイットする保持リング３２を有する。図６に更に詳細に示されたように、保持リング３２と溝３３との相互作用はハウジング２の上端部３上の端キャップ１６保持を助ける。選択的に、保持リング３２はハウジング２の上端部上に設置され、かつ溝３３は端キャップ１６の下部３１上に設置されてよい。
【００２２】
更に、図６に示されたように、第二壁１７は、端キャップ１６がハウジング２の上端部３上に設置されるときに、壁５に接触して封鎖する１またはそれ以上のシーリングリング５１を有していてよい。シーリングリング５１の付与は非粘性物質の通過を阻止する漏れ止めシールの形成を助ける。図６は端キャップ１６の第二壁１７上に位置決めされたシーリングリング５１を示し、そのようにしてハウジング２の壁に対するシールを形成する。シーリングリング５１は、しかしながら、ハウジング２の壁上に設置されて第二壁に対するシールを形成してもよい。
【００２３】
好適形態において、端キャップ１６は混合面３０を有する。混合面３０は、各第二壁１７の第二開放端部１９および端キャップ１６の外シエル７０と交差する平坦面または凹面を端キャップ１６に設けることにより形成される。混合面３０は、使用前に各物質区画室内の物質を混合するための包装上の領域を消費者に提供し、それにより、消費者が塗布を意図した領域上で直接的に複数の物質成分を混合する必要性を解消する。この新規特徴は、皮膚上に発生する反応を待つのではなく、皮膚への完全活性物質の直接的塗布を可能にする。選択的に、図１５に示されたように、端キャップ１６はハウジング２と一体成形して単一体８０に形成することができる。この形態により、ハウジング２の第一壁および端キャップ１６の第二壁の各々は単一壁構造体８１として一体成形され、各単一壁８１は分離物質区画室８２を形成する。各物質区画室８２は第一開放端部８４、および第二開放端部８３を有する。第二開放端部８３は上述した同様方法により回転自在スクリュ部材（図示せず）を収容できる設計である。同様に、各物質区画室８２の第一開放端部８４は各区画室内に物質の取り出し通路を画定する。
【００２４】
端キャップ１６を分離片にするにしても、またはハウジング２と一体成形するにしても、各物質区画室の充填および続く包装全体的の組立は相当に容易な作業になる。
端キャップ１６が分離片である場合、第一にハウジング２をスクリュ部材９と共に組立て、かつマスターギア１５を上述した位置に回転可能に設置する。次に、各物質区画室6を意図された物質成分で充填する。次に、端キャップ１６をハウジング２の上端部３へ嵌め、そのようにしてそれぞれの物質区画室6内へ各物質成分を入れて、ディスペンサ用包装を準備する。好適には、各スクリュ部材９上のピストン１３を、最初に、物質区画室6の第二開放端部８に実質的に位置決めする。そこで、スクリュ部材９を回転すると、ピストン１３が物質区画室6の第二開放端部８から物質区画室6の第一開放端部７へ向かって移動し、それにより各物質成分は端キャップ１６の第二壁１７により画定された取り出し通路45から排出される。
【００２５】
端キャップ１６がハウジング２と一体成形されて単一体を形成する場合、この単一体を倒立させ、かつ各物質区画室に意図した物質成分を充填する。次に、スクリュ部材９を上述した場所に回転自在に設置する。次に、マスターギア１５を各スクリュ部材９と接触する適正位置に設置してディスペンサ用包装を準備する。
【００２６】
上述形態のいずれにおいても、マスターギア１５の一回回転により異なる量の各物質成分を取り出すことが必要な場合がある。このような場合に、本発明は殆どいかなる比率の所望量の取り出しにも対応するように容易に変更できる。例えば、最終物質が２：１の比で２つの分離物質の成分を必要とする場合、必要とされることは２つの物質区画室を、一方の物質区画室を他方の物質区画室の２倍の容積に変更し、かつピストン１３を各物質区画室にフイットするように変更するだけでよい。スクリュ部材９上のネジピッチ、ピストン１３上のネジピッチ、およびマスターギア１５と各スクリュ部材ギア間の関係は変更なく維持できる。この簡単な変更により各ピストンは各物質区画室内で同一速度で移動し、そのようにして各ピストン１３の連結スクリュ部材の先端への実質的同時到達を可能にし、かつそのプロセスにおいて各取り出し物質成分間の比を２：１の比で各物質区画室の全内容物を実質的に取り出す。
【００２７】
更に、本ディスペンサに、消費者による適正量または推奨量の物質の取り出しを可能にするための使用量表示部を設けることが望ましい。例えば、図１２に示されたように、ハウジング２の下端部４が１またはそれ以上の刻み目９０を有し、かつマスターギア１５がその刻み目９０に適合する１またはそれ以上の戻り止め９１を有していてよい。消費者がマスターギア１５を回転させて物質を取り出すときに、戻り止め９１は刻み目９０から次の連続的刻み目９０へ回転して、消費者による推奨使用量を表示する。
【００２８】
更に、端キャップ１６の第二開放端部１９は図９に示されたように、自己閉鎖部材９２を有する。この自己閉鎖部材９２は端キャップ１６と同時成形される二軸射出成形（ｂｉ−ｉｎｊｅｃｔｉｏｎ）の可撓性膜、または接着剤、スナップ係止具、摩擦嵌め等により端キャップ１６の第二開放端部内に固定保持される分離部である一方弁であってよい。一部品を固定するかかる手段は当分野において周知である。いずれの構造によっても゛自己閉鎖部材９２は、物質を第二開放端部から取り出すときに開放動作し、かつ所望量の物質を取り出した後に封鎖する。
【００２９】
本発明の成形加工の容易性から、全構成部品はプラスチック材料により形成されることが好ましい。各部品に選択される特定材料は包装内に収容する物質の性質との適合性、および材料の成形特性に依存し、このことは当分野の熟練者の知識内にある。適宜材料は限定的でないがポリプロピレン、ポリエチレン、ポリスチレン、ポリ塩化ビニール、ポリエチレンテレフタレート、アセタール等を含む。
【００３０】
本発明はより煩雑な複数物質取り出し容器の欠点を解消し、かつ単一ギアの回転により複数物質の同時取り出しを可能にし、マスターギアの各回転に対応する量の複数物質の制御取り出しを可能にし、かつ異なる量での各物質の取り出しをマスターギアの同時単一回転により可能にする。
【図面の簡単な説明】
【図１】  本発明のツイストディスペンサの１形態の前面図である。
【図２】  図３のＡ−Ａ線に沿ったツイストディスペンサの断面図である。
【図３】  図１のツイストディスペンサの上面図である。
【図４】  図１のＢ−Ｂ線に沿ったツイストディスペンサの断面図である。
【図５】  本発明のスクリュ部材およびピストンを示す。
【図６】  図２のＣ部の拡大図である。
【図７】  図１０のＤ−Ｄ線に沿った本発明の端キャップの断面図である。
【図８】  図９のＥ−Ｅ線に沿った本発明の端キャップの断面図である。
【図９】  本発明の端キャップの前面図である。
【図１０】  本発明の端キャップの側面図である。
【図１１】  図１２のＦ−Ｆ線に沿った本発明のツイストディスペンサの他の形態の断面図である。
【図１２】  図１１の形態によるスクリュ部材およびマスターギアを示す部分断面図である。
【図１３】  図１４のＧ−Ｇ線に沿った本発明のツイストディスペンサの他の形態の断面図である。
【図１４】  図１３の形態によるスクリュ部材およびマスターギアを示す部分断面図である。
【図１５】  一体的に成形された端キャップを有する本発明のディスペンサの断面図である。
【図１】
0003650583.tif 000002
【図３】
0003650583.tif 000003
【図２】
0003650583.tif 000004
【図４】
0003650583.tif 000005
【図５】
0003650583.tif 000006
【図６】
0003650583.tif 000007
【図７】
0003650583.tif 000008
【図８】
0003650583.tif 000009
【図９】
0003650583.tif 000010
【図１０】
0003650583.tif 000011
【図１１】
0003650583.tif 000012
【図１２】
0003650583.tif 000013
【図１３】
0003650583.tif 000014
【図１４】
0003650583.tif 000015
【図１５】
0003650583.tif 000016